(57)【要約】【課題】両面使用可能な床運動マットを提供する。【解決手段】両面使用可能な床運動マットは布層、第一滑り止め層、第二滑り止め層から構成される。布層は表面および背面がそれぞれ中央部位および二つの側辺部位に分割される。第一滑り止め層は布層の表面の二つの側辺部位に配置され、複数の第一空洞部を有することによって布層を露出させる。複数の第一空洞部は相互に間隔を置いて分離するように第一滑り止め層に配置される。第二滑り止め層は布層の背面の二つの側辺部位に配置され、複数の第二空洞部を有することによって布層を露出させる。複数の第二空洞部は相互に間隔を置いて分離するように第二滑り止め層に配置される。【選択図】図１
2018086248.tif 000002
【特許請求の範囲】
【請求項１】
布層、第一滑り止め層、第二滑り止め層から構成され、
前記布層は、吸水性があって畳んで収納できる軟質布からなり、二つの長辺および二つの短辺を有する矩形を呈し、表面および背面がそれぞれ中央部位および二つの側辺部位に分割され、二つの前記側辺部位は前記中央部位の両側かつ二つの前記短辺の近くに位置し、
前記第一滑り止め層は、前記布層の前記表面の二つの前記側辺部位に配置され、複数の第一空洞部を有することによって前記布層を露出させ、複数の前記第一空洞部は相互に間隔を置いて分離するように前記第一滑り止め層に配置され、
前記第二滑り止め層は、前記布層の前記背面の二つの前記側辺部位に配置され、複数の第二空洞部を有することによって前記布層を露出させ、複数の前記第二空洞部は相互に間隔を置いて分離するように前記第二滑り止め層に配置され、
前記布層の前記表面に前記第一滑り止め層を有する部位において、ユーザーの掌の指部分以外の部位の面積は複数の前記第一空洞部に露出した前記布層の前記表面の一部分および前記第一滑り止め層の一部分に位置し、
前記布層の前記背面に前記第二滑り止め層を有する部位において、ユーザーの掌の指部分以外の部位の面積は複数の前記第二空洞部に露出した前記布層の前記背面の一部分および前記第二滑り止め層の一部分に位置することを特徴とする、
両面使用可能な床運動マット。
【請求項２】
前記第一滑り止め層において、前記第一空洞部以外の部分は中断せず相互に連結され、前記第二滑り止め層において、前記第二空洞部以外の部分は中断せず相互に連結されることを特徴とする請求項１に記載の両面使用可能な床運動マット。
【請求項３】
前記第一滑り止め層は前記布層の前記表面の二つの前記側辺部位に満遍なく分布し、前記第二滑り止め層は前記布層の前記背面の二つの前記側辺部位に満遍なく分布することを特徴とする請求項１に記載の両面使用可能な床運動マット。
【請求項４】
前記第一滑り止め層は、前記布層の前記表面の二つの前記側辺部位および前記中央部位に満遍なく分布し、前記第一滑り止め層は二つの前記側辺部位に位置する前記第一滑り止め層の一部分および前記中央部位に位置する前記第一滑り止め層の一部分が連なることによって構成されることを特徴とする請求項３に記載の両面使用可能な床運動マット。
【請求項５】
前記第二滑り止め層は、前記布層の前記背面の二つの前記側辺部位および前記中央部位に満遍なく分布し、前記第二滑り止め層は二つの前記側辺部位に位置する前記第二滑り止め層の一部分および前記中央部位に位置する前記第二滑り止め層の一部分が連なることによって構成されることを特徴とする請求項３に記載の両面使用可能な床運動マット。
【請求項６】
前記第一滑り止め層は、前記布層の前記表面の二つの前記側辺部位および前記中央部位に満遍なく分布し、前記第一滑り止め層は二つの前記側辺部位に位置する前記第一滑り止め層の一部分および前記中央部位に位置する前記第一滑り止め層の一部分が連なることによって構成され、前記第二滑り止め層は、前記布層の前記背面の二つの前記側辺部位および前記中央部位に満遍なく分布し、前記第二滑り止め層は二つの前記側辺部位に位置する前記第二滑り止め層の一部分および前記中央部位に位置する前記第二滑り止め層の一部分が連なることによって構成されることを特徴とする請求項３に記載の両面使用可能な床運動マット。
【請求項７】
前記第一滑り止め層は少なくとも一つの中断通路から複数の滑り止め部位に分割され、前記中断通路の幅は人の掌の指部分以外の一番広い部位の幅より小さく、前記第二滑り止め層は少なくとも一つの中断通路から複数の滑り止め部位に分割され、前記中断通路の幅は人の掌の指部分以外の一番広い部位の幅より小さいことを特徴とする請求項１に記載の両面使用可能な床運動マット。
【請求項８】
前記第一滑り止め層は前記布層の辺縁部に所定の距離を置き、前記第二滑り止め層は前記布層の辺縁部に所定の距離を置くことを特徴とする請求項１に記載の両面使用可能な床運動マット。
【請求項９】
複数の前記第一空洞部および複数の前記第二空洞部の形は、円形、楕円形、多辺形または不規則的な形であることを特徴とする請求項１に記載の両面使用可能な床運動マット。
【請求項１０】
複数の前記第一空洞部は相互に間隔を置いてマトリックス状に配列され、複数の前記第二空洞部は相互に間隔を置いてマトリックス状に配列されることを特徴とする請求項１に記載の両面使用可能な床運動マット。
【請求項１１】
前記布層において、前記表面の前記中央部位と前記背面の前記中央部位とは大きさが異なることを特徴とする請求項１に記載の両面使用可能な床運動マット。
【発明の詳細な説明】
【技術分野】
【０００１】
本発明は、スポーツ用マットに関し、詳しくは両面使用可能な床運動用マットに関するものである。
【背景技術】
【０００２】
従来のスポーツ用マットにおいて、特許文献１により掲示された両面使用可能な床運動用マットは布層の両面に滑り止め層が配置され、滑り止め層の空洞部に布層が露出するものであるため、汗に接触しない場合には滑り止め層によって滑り止め効果を生じ、汗に接触した場合には布層の表面に滑り止めの効果を生じることができる。つまり、汗に接触した状態および汗に接触しない状態に対応して滑り止め効果を発揮できる。
【０００３】
これに対し、滑り止め層を中断せず連続させるように配置し、滑り止め層をユーザーの体によく接触する部位に位置させれば滑り止め層を布層により一層安定させ、滑り止め効果をより一層向上させることができる。
特許文献１において、このような考案は掲示されなかった。つまり、滑り止め層を中断せず連続させるように配置する方式およびマット上の滑り止め層の配置位置は特許文献１の技術特徴ではなかった。
【先行技術文献】
【特許文献】
【０００４】
【特許文献１】台湾特許Ｉ５１３４３６号公報
【発明の概要】
【発明が解決しようとする課題】
【０００５】
本発明は、滑り止め層が分布する部位において滑り止め層が中断せず連続することによって滑り止め層を布層に固定する効果を向上させる両面使用可能な床運動マットを提供することを主な目的とする。
【０００６】
本発明は、比較的頻繁に使用される布層の両側に滑り止め層を配置することによって滑り止め効果を効果的に発揮する両面使用可能な床運動マットを提供することをもう一つの目的とする。
【課題を解決するための手段】
【０００７】
上述した課題を解決するための両面使用可能な床運動マットは布層、第一滑り止め層、第二滑り止め層から構成される。布層は吸水性があって畳んで収納できる軟質布からなり、二つの長辺および二つの短辺を有する矩形を呈し、表面および背面がそれぞれ中央部位および二つの側辺部位に分割される。二つの側辺部位は中央部位の両側かつ二つの短辺の近くに位置する。第一滑り止め層は布層の表面の二つの側辺部位に配置され、複数の第一空洞部を有することによって布層を露出させる。複数の第一空洞部は相互に間隔を置いて分離するように第一滑り止め層に配置される。第二滑り止め層は布層の背面の二つの側辺部位に配置され、複数の第二空洞部を有することによって布層を露出させる。複数の第二空洞部は相互に間隔を置いて分離するように第二滑り止め層に配置される。布層の表面に第一滑り止め層を有する部位において、ユーザーの掌の指部分以外の部位の面積は複数の第一空洞部に露出した布層の表面の一部分および第一滑り止め層の一部分に位置する。布層の背面に第二滑り止め層を有する部位において、ユーザーの掌の指部分以外の部位の面積は複数の第二空洞部に露出した布層の背面の一部分および第二滑り止め層の一部分に位置する。
【０００８】
第一滑り止め層および第二滑り止め層はそれぞれ中断せず連続するように設けられるため、第一滑り止め層および第二滑り止め層を布層に固定する効果を増大させることができる。第一滑り止め層および第二滑り止め層はユーザーに比較的頻繁に使用される部位、即ち布層の表面および背面の二つの側辺部位に配置されるため、滑り止め効果を効果的に発揮できる。
【図面の簡単な説明】
【０００９】
【図１】本発明の第１実施形態による両面使用可能な床運動マットを示す平面図である。
【図２】本発明の第１実施形態による両面使用可能な床運動マットを示す部分拡大図である。
【図３】図２中の３−３破線に沿った断面図である。
【図４Ａ】本発明の第１実施形態による両面使用可能な床運動マットのパターンを示す部分拡大図である。
【図４Ｂ】本発明の第１実施形態による両面使用可能な床運動マットの別のパターンを示す部分拡大図である。
【図４Ｃ】本発明の第１実施形態による両面使用可能な床運動マットの別のパターンを示す部分拡大図である。
【図４Ｄ】本発明の第１実施形態による両面使用可能な床運動マットの別のパターンを示す平面図の一部分である。
【図５】本発明の第１実施形態による両面使用可能な床運動マットが使用された状態を示す斜視図である。
【図６】本発明の第１実施形態による両面使用可能な床運動マットを示す別の平面図である。
【図７】本発明の第２実施形態による両面使用可能な床運動マットを示す平面図である。
【図８】本発明の第３実施形態による両面使用可能な床運動マットを示す平面図である。
【発明を実施するための形態】
【００１０】
以下、本発明による両面使用可能な床運動マットを図面に基づいて説明する。
【００１１】
（第１実施形態）
図１から図３に示すように、本発明の第１実施形態による両面使用可能な床運動マット１０は布層１１、第一滑り止め層２１、第二滑り止め層３１から構成される。
【００１２】
布層１１は、吸水性があって畳んで収納できる軟質布からなり、二つの長辺および二つの短辺を有する矩形を呈し、表面および背面がそれぞれ中央部位Ｃおよび二つの側辺部位Ｓに分割される。二つの側辺部位Ｓは中央部位Ｃの両側かつ二つの短辺の近くに位置する。
【００１３】
第一滑り止め層２１は、布層１１の表面の二つの側辺部位Ｓに配置され、複数の第一空洞部２２を有することによって布層１１を露出させる。複数の第一空洞部２２は相互に間隔を置いて分離するように第一滑り止め層２１に配置される。二つの側辺部位Ｓに位置する第一滑り止め層２１において、第一空洞部２２以外の部分は中断せず相互に連結される。第一滑り止め層２１は可とう性があるため、布層１１と一緒に第一滑り止め層２１を曲げて畳むことができる。
【００１４】
第二滑り止め層３１は、布層１１の背面の二つの側辺部位Ｓに配置され、複数の第二空洞部３２を有することによって布層１１を露出させる。複数の第二空洞部３２は相互に間隔を置いて分離するように第二滑り止め層３１に配置される。二つの側辺部位Ｓに位置する第二滑り止め層３１において、第二空洞部３２以外の部分は中断せず相互に連結される。第二滑り止め層３１は可とう性があるため、布層１１と一緒に第二滑り止め層３１を曲げて畳むことができる。
【００１５】
布層１１の表面に第一滑り止め層２１を有する部位において、ユーザーの掌の指部分以外の部位の面積は複数の第一空洞部２２に露出した布層１１の表面の一部分および第一滑り止め層２１の一部分に位置する。
布層１１の背面に第二滑り止め層３１を有する部位において、ユーザーの掌の指部分以外の部位の面積は複数の第二空洞部３２に露出した布層１１の背面の一部分および第二滑り止め層３１の一部分に位置する。
【００１６】
製造の便をはかるために、第一滑り止め層２１と布層１１の辺縁部との間に所定の距離を置き、第二滑り止め層３１と布層１１の辺縁部との間に所定の距離を置けばよい。
別の実施形態において、第一滑り止め層２１を布層１１の辺縁部まで伸ばし、第二滑り止め層３１を布層１１の辺縁部まで伸ばせばよい。その一方、第一滑り止め層２１と布層１１の辺縁部とを連結し、第二滑り止め層３１と布層１１の辺縁部とを連結する工程を考慮しなければならないため、製造工程は複雑になる。
【００１７】
本実施形態において、複数の第一空洞部２２および複数の第二空洞部３２（図中未表示）の形は円形であるが、これに限らず、図４Ａから図４Ｄに示すように、楕円形、多辺形または不規則的な形になってもよい。複数の第一空洞部２２は相互に間隔を置いてマトリックス状に配列される。複数の第二空洞部３２（図中未表示）は相互に間隔を置いてマトリックス状に配列される。
【００１８】
以上は第１実施形態の構造についての説明である。続いて、第１実施形態の使用方法について説明を進める。
【００１９】
図１から図５に示すように、両面使用可能な床運動マット１０を使用する際、両面使用可能な床運動マット１０の表面を上向きに床または別のマットに敷けば、床運動を進めることができる。本実施形態は両面使用可能な床運動マット１０を床に敷いて使用することを例とする。
床運動を進める過程において、複数の第一空洞部２２に露出した布層１１の表面の一部分および第一滑り止め層２１はユーザーの皮膚に接触し、汗吸収および滑り止め効果を発揮できる。布層１１の背面に位置する第二滑り止め層３１は床に滑り止め効果を発揮できる。ヨガをするとき、両面使用可能な床運動マット１０は布層１１の表面および底面の二つの側辺部位Ｓが最も使用される部位である。第一滑り止め層２１は布層１１の表面の二つの側縁部位Ｓに分布し、第二滑り止め層３１は布層１１の背面の二つの側縁部位Ｓに分布するため、最も使用される部位、即ち布層１１の表面および背面の二つの側辺部位Ｓに滑り止め効果を効果的に発揮することができる。
上述したとおり、布層１１は表面の二つの側辺部位Ｓに第一滑り止め層２１を有し、背面の二つの側辺部位Ｓに第二滑り止め層３１を有するため、運動中のユーザーに滑り止め効果を発揮し、安心感を与えることができる。
一方、ユーザーの掌の指部分以外の部位の面積は複数の第一空洞部２２または第二空洞部３２に露出した布層１１の表面または背面の一部分および第一滑り止め層２１または第二滑り止め層３２の一部分に位置する。運動中のユーザーは布層１１および第一滑り止め層２１または第二滑り止め層３１に同時に接触するため、滑り止め効果がある。
【００２０】
布層１１の表面および背面の二つの側辺部位Ｓにそれぞれ分布する第一滑り止め層２１および第二滑り止め層３１は中断せず連続するように設けられるため、第一滑り止め層２１および第二滑り止め層３１を布層１１に固定する効果を増大させることができる。
布層１１の表面および背面に位置する中央部位Ｃは滑り止め層が配置されないため、汗吸収効果しか発揮できない。運動中のユーザーは汗をかいたときに布層１１の中央部位Ｃで汗を拭いて運動を持続させることができる。
【００２１】
布層１１において、表面の中央部位Ｃと背面の中央部位Ｃとは面積が一致しなくてもよい。表面の二つの側縁部位Ｓと背面の二つの側辺部位Ｓとも面積が一致しなくてもよい。つまり、メーカーの設計に応じ、表面および背面の二つの側辺部位Ｓの範囲内にユーザーのよく使う部位を位置させることさえできればよい。
【００２２】
図６に示すように、本実施形態は布層１１の表面二つの側縁部位Ｓの一部分のみに第一滑り止め層２１を配置し、布層１１の背面の二つの側縁部位Ｓの一部分のみに第二滑り止め層３１を配置する方式を採用してもよい。それに対し、表面および背面の二つの側縁部位Ｓの第一滑り止め層２１および第二滑り止め層３１以外の部位を活用し、商標または文字などを印刷し、全体を変化させることができる。
【００２３】
（第２実施形態）
図７に示したのは本発明の第２実施形態による両面使用可能な床運動マット１０’である。第１実施形態との違いは次のとおりである。
【００２４】
第２実施形態において、第一滑り止め層２１’は布層１１’の表面の二つの側辺部位Ｓ’および中央部位Ｃ’に満遍なく分布する。つまり、第一滑り止め層２１’は二つの側辺部位Ｓ’に位置する第一滑り止め層２１’の一部分および中央部位Ｃ’に位置する第一滑り止め層２１’の一部分が連なることによって構成される。
【００２５】
第一滑り止め層２１’と一致する第二滑り止め層３１’（図中未表示）は布層１１’の背面の二つの側辺部位Ｓ’および中央部位Ｃ’に満遍なく分布する。つまり、第二滑り止め層３１’は二つの側辺部位Ｓ’に位置する第二滑り止め層３１’の一部分および中央部位Ｃ’に位置する第二滑り止め層３１’の一部分が連なることによって構成される。
【００２６】
上述したとおり、第２実施形態は布層１１’の表面および背面の中央部位Ｃ’にも第一滑り止め層２１’および第二滑り止め層３１’を別々に配置するが、これに限らず、ユーザーのニーズに応じて布層１１’の表面または背面の中央部位Ｃ’に第一滑り止め層２１’または第二滑り止め層３１’を配置してもよい。
【００２７】
第２実施形態は、中央部位Ｃ’にも第一滑り止め層２１’または第二滑り止め層３１’を配置する、即ち布層１１’に満遍なく滑り止め層を配置する方法が最も効果的である。その一方、第１実施形態と比べて中央部位Ｃ’による汗吸収効果を生じることができない。
【００２８】
第２実施形態のほかの構造および達成できる効果は第１実施形態と同じであるため、詳しい説明を省略する。
【００２９】
（第３実施形態）
図８に示したのは本発明の第３実施形態による両面使用可能な床運動マット１０”である。第１実施形態との違いは次のとおりである。
【００３０】
第３実施形態において、第一滑り止め層２１”は少なくとも一つの中断通路２９”から複数の滑り止め部位２１１”に分割される。中断通路２９”の幅は人の掌の指部分以外の一番広い部位の幅より小さい。布層１１”の背面に位置する第二滑り止め層３１”（図中未表示）は第一滑り止め層２１”と同じに少なくとも一つの中断通路２９”から複数の滑り止め部位に分割される。中断通路２９”の幅は人の掌の指部分以外の一番広い部位の幅より小さい。中断通路２９”は第一滑り止め層２１”および第二滑り止めを分割し、布層１１”を露出させる。
【００３１】
上述したとおり、中断通路２９”は視覚効果を向上させ、第一滑り止め層２１”および第二滑り止め層の単調さを緩和できるだけでなく、布層１１”を露出させることによって良好な汗吸収効果を提供できる。一方、中断通路２９”の幅は人の掌の指部分以外の一番広い部位の幅より小さいため、汗に接触した状態でも汗に接触しない状態でも良好な滑り止め効果を維持することができる。
【００３２】
第３実施形態のほかの構造および達成できる効果は第１実施形態と同じであるため、詳しい説明を省略する。
【符号の説明】
【００３３】
１０  両面使用可能な床運動マット
１１  布層
２１  第一滑り止め層
２２  第一空洞部
３１  第二滑り止め層
３２  第二空洞部
Ｃ  中央部位
Ｓ  側辺部位
１０’  両面使用可能な床運動マット
１１’  布層
２１’  第一滑り止め層
Ｃ’  中央部位
Ｓ’  側辺部位
１０”  両面使用可能な床運動マット
１１”  布層
２１”  第一滑り止め層
２１１”  滑り止め部位
２９”  中断通路
【図１】
2018086248.tif 000003
【図２】
2018086248.tif 000004
【図３】
2018086248.tif 000005
【図４Ａ】
2018086248.tif 000006
【図４Ｂ】
2018086248.tif 000007
【図４Ｃ】
2018086248.tif 000008
【図４Ｄ】
2018086248.tif 000009
【図５】
2018086248.tif 000010
【図６】
2018086248.tif 000011
【図７】
2018086248.tif 000012
【図８】
2018086248.tif 000013